(57)【要約】      （修正有）【課題】簡単に取り替えられる交換部品としての機能を付与すると共に、帽子用インナーを帽子本体に装着して使用する際、該インナーに面ファスナーなどの固定具を設けることなく、該インナーを所定位置に確実に固定可能な帽子を提供する。【解決手段】キャップ型帽子の頭頂部の孔部に設けられるトップボタンであって、外側部材１０と内側部材２０とは、帽子本体を挟んで係合してその状態を保持可能であり、かつ人の手指によって係脱自在に係合する。外側部材１０は、軟質の合成樹脂からなり、内面中心部に穴部１１を備え、内側部材２０は、硬質の合成樹脂からなり、皿状部と該皿状部の中心に立設された軸部２２を備え、該軸部２２の外面には周方向に突条部２３が形成されている。内側部材２０の軸部２２が外側部材１０の穴部１１に挿入され、軸部２２の突条部２３が穴部１１の内面に圧接することにより、外側部材１０と内側部材２０との係合状態が保持される。【選択図】図７
0003170882.tif 000002
【実用新案登録請求の範囲】
【請求項１】
キャップ型帽子の頭頂部の孔部に設けられるトップボタンであって、
ドーム状の外側表面を呈し、内面に穴部を備えた外側部材と、皿状部と該皿状部に立設された、前記外側部材の穴部に係合する軸部とを備えた内側部材とからなり、
前記外側部材と前記内側部材とは、前記孔部において帽子本体を挟んで係合してその状態を保持可能であり、かつ人の手指によって係脱自在に係合することを特徴とする、キャップ型帽子用トップボタン。
【請求項２】
前記外側部材は、軟質の合成樹脂からなり、その内面中心部に穴部を備え、
前記内側部材は、硬質の合成樹脂からなり、皿状部と該皿状部の中心に立設された軸部を備え、かつ該軸部の外面には周方向に突条部が形成され、
前記内側部材の軸部が前記外側部材の穴部に挿入され、前記軸部の突条部が前記穴部の内面に圧接することにより、前記外側部材と前記内側部材との係合状態が保持される、請求項１に記載のキャップ型帽子用トップボタン。
【請求項３】
前記外側部材は、その内面中心部に穴部を備え、該穴部の内面は雌ネジ部として形成され、
前記内側部材は、皿状部と該皿状部の中心に立設された軸部を備え、かつ該軸部は雄ネジ部として形成され、
前記内側部材の軸部が前記外側部材の穴部の内面に螺合することにより、前記外側部材と前記内側部材との係合状態が保持される、請求項１に記載のキャップ型帽子用トップボタン。
【請求項４】
請求項１〜３のいずれかに記載のキャップ型帽子用トップボタンを備えた帽子であって、
帽子本体の内側には、帽子の内側に着脱自在に装着されるインナー部材であって、柔軟性を有する立体ハニカム構造のメッシュ素材を主材とし、帽子本体の内面に沿って、立体縫製によって縫い合わせ部及びギャザーのない平滑な内外面に形成されたドーム状をなすインナー部材を備え、
前記内側部材の軸部は、前記インナー部材のメッシュ素材の間隙及び前記帽子本体の孔部を挿通し、前記外側部材と内側部材とが、前記孔部において前記帽子本体及び前記インナー部材を挟んで係合してその状態が保持されることにより、前記インナー部材が前記帽子本体に装着されている、帽子。
【考案の詳細な説明】
【技術分野】
【０００１】
本考案は、作業用帽子、野球帽等のキャップ型帽子に用いられるトップボタン及びトップボタンを備えた帽子に関する。
【背景技術】
【０００２】
作業用帽子、野球帽等のキャップ型帽子にあっては、その頭頂部に、装飾的な意味合いを兼ねてトップボタン（天ボタンとも呼ばれる。）が装着されることが多い。
例えば、トップボタンとして、半球状のボタンを布地などでくるみ、糸等で縫い付けるくるみボタンがある。
布地などでくるまないトップボタンとして、特許文献１には、「天ボタン２が、その下面中心に前記有頭ピン３のピン部３ａを嵌挿する嵌入孔２ｃを備えてなり、前記帽子本体１頂部の円形孔１ｂを介して帽子本体１内側から前記嵌入孔２ｃに嵌挿される有頭ピン３とによって、前記帽子本体１頂部の布地に強固に挟着されてなる」構成が開示されている（請求項２）。
【０００３】
しかしながら、従来のキャップ型帽子におけるトップボタンは、帽子の頭頂部に強固に固着されることを前提としており、帽子から取り外すことは前提としていない。にもかかわらず、壊れて取れてしまうことがあり、一旦取れると、そのままでは使えず、修理を要するか、代用品の使用を余儀なくされる。
一方、帽子本体の内側に保護部材、いわゆるインナーを着脱自在に嵌合する帽子が提案されている。特許文献２には、「帽子本体の内側に保護部材を着脱自在に嵌合した保護帽子であって、前記保護部材は、全体としてキャップ状であり、その内外の表面を生地によって覆われた所要厚さの衝撃吸収用の発泡樹脂エラストマーを芯材とすることを特徴とする保護帽子。」が記載されている。そして、この保護部材を、所定位置に保持させるために、帽子本体に対して、面ファスナーによって着脱可能にしたものが開示されている（請求項９）。
しかし、この場合、保護部材及び帽子本体に面ファスナーを設ける必要があり、製作の手間がかかる。また、保護部材に面ファスナーが設けられていると、保護部材を洗濯する際、他の洗濯物の繊維が付着するなどの支障が生じる。
【先行技術文献】
【特許文献】
【０００４】
【特許文献１】特開２００６−２４９５８４号公報
【特許文献２】特開２００５−１６３２２８号公報
【考案の概要】
【考案が解決しようとする課題】
【０００５】
本考案は、キャップ型帽子の頭頂部に設けられるトップボタンについて、簡単に取り替えることができる交換部品としての機能を付与するとともに、帽子用インナーを帽子本体に装着して使用する際、該インナーに面ファスナーなどの固定具を設けることなく、該インナーを所定位置に確実に固定することができるようにすることを課題とする。
【課題を解決するための手段】
【０００６】
（１）キャップ型帽子の頭頂部の孔部に設けられるトップボタンであって、
ドーム状の外側表面を呈し、内面に穴部を備えた外側部材と、皿状部と該皿状部に立設された、前記外側部材の穴部に係合する軸部とを備えた内側部材とからなり、
前記外側部材と前記内側部材とは、前記孔部において帽子本体を挟んで係合してその状態を保持可能であり、かつ人の手指によって係脱自在に係合することを特徴とする、キャップ型帽子用トップボタンである。
（２）前記外側部材は、軟質の合成樹脂からなり、その内面中心部に穴部を備え、
前記内側部材は、硬質の合成樹脂からなり、皿状部と該皿状部の中心に立設された軸部を備え、かつ該軸部の外面には周方向に突条部が形成され、
前記内側部材の軸部が前記外側部材の穴部に挿入され、前記軸部の突条部が前記穴部の内面に圧接することにより、前記外側部材と前記内側部材との係合状態が保持されるものである。
（３）前記外側部材は、その内面中心部に穴部を備え、該穴部の内面は雌ネジ部として形成され、
前記内側部材は、皿状部と該皿状部の中心に立設された軸部を備え、かつ該軸部は雄ネジ部として形成され、
前記内側部材の軸部が前記外側部材の穴部の内面に螺合することにより、前記外側部材と前記内側部材との係合状態が保持されるものである。
（４）上記（１）〜（３）のいずれかに記載のキャップ型帽子用トップボタンを備えた帽子であって、
帽子本体の内側には、帽子の内側に着脱自在に装着されるインナー部材であって、柔軟性を有する立体ハニカム構造のメッシュ素材を主材とし、帽子本体の内面に沿って、立体縫製によって縫い合わせ部及びギャザーのない平滑な内外面に形成されたドーム状をなすインナー部材を備え、
前記内側部材の軸部は、前記インナー部材のメッシュ素材の間隙及び前記帽子本体の孔部を挿通し、前記外側部材と前記内側部材とが、前記孔部において前記帽子本体及び前記インナー部材を挟んで係合してその状態が保持されることにより、前記インナー部材が前記帽子本体に装着されている、帽子である。
【考案の効果】
【０００７】
（１）本考案に係るトップボタンにあっては、外側部材と内側部材とは、帽子の頭頂部の孔部において帽子本体を挟んで係合してその状態を保持可能であり、かつ人の手指によって係脱可能であるため、従来のような帽子に強固に固着されたトップボタンと異なり、簡単に取り替えることができ、交換部品として機能する。色違いのボタンを選択使用でき、使用の幅も広がる等の効果も奏する。
（２）外側部材は、軟質の合成樹脂からなり、その内面中心部に穴部を備え、内側部材は、硬質の合成樹脂からなり、皿状部と該皿状部の中心に立設された軸部を備え、かつ該軸部の外面には周方向に突条部が形成され、内側部材の軸部が外側部材の穴部に挿入され、軸部の突条部が穴部の内面に圧接することにより、外側部材と内側部材との係合状態が保持される構成により、外側部材と内側部材との係脱を、内側部材の押し込み、引き抜きという簡単な操作で行うことができる。
また、外側部材は軟質の合成樹脂からなるため、ぶつけた際に衝撃を吸収しやすく、割れにくい。
（３）外側部材は、その内面中心部に穴部を備え、該穴部の内面は雌ネジ部として形成され、内側部材は、皿状部と該皿状部の中心に立設された軸部を備え、かつ該軸部は雄ネジ部として形成され、内側部材の軸部が外側部材の穴部の内面に螺合することにより、外側部材と内側部材との係合状態が保持される構成により、外側部材と内側部材との係脱を、内側部材の回転という簡単な操作で行うことができる。
（４）本考案に係る帽子にあっては、特定のインナー部材を用いることにより、頭部に対する衝撃を適切に緩和することができ、また、通気性に優れ、ムレにくく、軽量かつ柔軟で使用しやすく、さらに、立体縫製によって縫い合わせ部及びギャザーのない平滑な内外面に形成されているため、製作のための裁断及び縫製加工が最小限に抑えられるとともに、着用感も優れる。経済性も優れる。そして、保形性に優れ、型崩れしにくく、良好な着用感を維持することができる。
また、インナー部材に面ファスナーなどの固定具を設けることなく、インナー部材のメッシュ素材の間隙を利用してインナー部材を所定位置に確実に、ずれるようなことなく固定することができる。トップボタンを外すことにより、インナー部材を簡単に取り外すことができ、インナー部材の洗濯も支障なく行うことができる。
【図面の簡単な説明】
【０００８】
【図１】トップボタンの外側部材１０の、（ａ）は平面図、（ｂ）は正面図、（ｃ）は（ａ）のＣ−Ｃ線断面図である。
【図２】トップボタンの内側部材２０の、（ａ）は平面図、（ｂ）は正面図、（ｃ）は（ａ）のＣ−Ｃ線断面図である。
【図３】トップボタンの外側部材１０と内側部材２０の係合状態を示す説明図である。
【図４】インナー部材３０の、（ａ）は正面図、（ｂ）は背面図である。
【図５】インナー部材３０の側面図である。
【図６】インナー部材３０を装着した帽子１の断面図である。
【図７】帽子１のトップボタン近傍部分を模式的に表す拡大断面図である。
【考案を実施するための形態】
【０００９】
キャップ型帽子の頭頂部の孔部に設けられるトップボタンについて、ドーム状の外側表面を呈し、内面に穴部を備えた外側部材と、皿状部と該皿状部に立設された、前記外側部材の穴部に係合する軸部とを備えた内側部材とから構成するとともに、前記外側部材と前記内側部材とが、前記孔部において帽子本体を挟んで係合してその状態を保持可能であり、かつ人の手指によって係脱自在に係合するという構成を採用し、新規な用法を実現した。
【実施例】
【００１０】
（実施例１）
外側部材１０は、軟質の合成樹脂の成形品からなり、全体としてドーム状（半球状）に形成され、その内面中央部には筒状部が形成されており、その筒状部の内部が穴部１１となっている。軟質の合成樹脂としては、例えばペトロセンが好適に用いられるが、少なくとも後述の内側部材２０よりも軟質で弾性変形しやすいものであることが肝要である。
【００１１】
内側部材２０は、硬質の合成樹脂の成形品からなり、皿状部２１と該皿状部２２の中心に立設された軸部２２を備えている。軸部２２は先端が先細で、かつ該軸部２２の外面には周方向に複数の突条部２３が形成されている。突条部２３を含む軸部２２の直径は、外側部材１０の穴部１１の直径よりもわずかに大きい。突条部２３の形状は変更可能である。硬質の合成樹脂としては、例えばポリカーボネートが好適に用いられる。符号２４は皿状部の上面に設けられた突起で、外側部材１０と内側部材２０とで帽子を挟持する状態をより確実にするためのものである。
【００１２】
穴部１１を含む外側部材１０は軟質の合成樹脂で形成されている一方、軸部２２を含む内側部材２０は硬質の合成樹脂で形成されているため、内側部材２０の軸部２２を外側部材１０の穴部１１の内部に挿入すると、軸部２２の突条部２３が穴部１１の内面に押し付けられるように圧接し、穴部１１の弾性変形を伴い、外側部材１０と内側部材２０との係合状態が確実に保持される。そして、この係合状態は、人の手指によって解く（内側部材２０を引き抜く）ことができるように、外側部材１０及び内側部材２０の材質や、穴部１１と軸部２０の寸法等を設計する。
【００１３】
＜インナー部材＞
インナー部材３０は、装着される帽子の内面に適合し、頭部を覆う本体部３１と、該本体部３１の下部周縁に設けられた縁取りテープ部３２とを備えている。
本体部３１は、柔軟性を有する立体ハニカム構造のメッシュ素材により形成されている。このメッシュ素材は、ポリエステル、ナイロン等により形成され、１．５〜４ｍｍ程度の大きさの各通気部（孔）を有する立体的なハニカム構造をなし、軽量で復元性、衝撃吸収性、伸縮性、柔軟性、弾力性に優れるものである。例えば、ナイロン・モノフィラメントファイバーが６角形の蜂の巣状に編まれたポリエステルメッシュに挟まれて一体化されているものがある。その厚さは３〜６ｍｍが、柔軟性、屈曲性等ともに通気性を良好に発揮する上で好ましい。複数枚重ねて用いてもよい。なお、図においてメッシュ素材のハニカム形状は模式的に示しているものである。
また、本体部３１は、立体縫製によって縫い合わせ部及びギャザーのない平滑な内外面に形成された、ドーム状（半球状）をなしている。このため、製作のための裁断及び縫製加工が最小限に抑えられるとともに、着用感も優れたものとなっている。ここで、立体縫製とは、本来平坦なメッシュ素材をドーム形状とした状態で縁取りテープ部３２を取着し、縫い付けることをいう。
【００１４】
本体部３１は、図４に示すとおり、インナー部材３０の左右方向において、縁取りテープ部３２の直径よりも大きい直径を有するように形成された、対向する一対のなだらかな膨らみ部３１ａ，３１ａを備えている。換言すると、本体部３１の最大直径より絞り込まれて縁取りテープ部３２が形成されている。この膨らみ部は、インナー部材３０の前後方向に設けることもできる。このような膨らみ部によって、帽子へ装着したとき、該膨らみ部が帽子の内面に密着することにより、帽子への納まりがよい。
本体部３１の後方下部には略半円状の切欠部３５が形成されており、これにより、帽子１に装着した際、そのままで帽子１のサイズ調節に追随して柔軟に対応することができる。
縁取りテープ部３２は、バイアステープ等を用いて、本体部３１の開口縁を覆って本体部３１に縫い付けられている。略半円状の切欠部５は縁取りテープ部３２よりも幅の狭いテープで縁取り処理されている。
【００１５】
図６に示すとおり、上記インナー部材３０を備えた帽子１においては、縁取りテープ部３２が、帽子１のスベリ２の内側に挿入されている。帽子１は、前鍔部３を有するキャップ型のものが好ましい一例として挙げられる。
【００１６】
そして、図７に示すように、内側部材２０の軸部２２は、インナー部材３０の本体部３１のメッシュ素材の間隙及び帽子本体の孔部１ａを挿通し、外側部材１０と内側部材２０とが、帽子本体及びインナー部材３０を挟んで係合してその状態が保持されることにより、インナー部材３０が帽子本体に装着されている。そして、外側部材１０と内側部材２０とは、帽子の孔部１ａにおいて帽子本体及びインナー部材３０を挟んで係合してその状態が保持されるとともに、かつ人の手指によって係脱自在なように設けられている。
【００１７】
（実施例２）
図示省略するが、実施例１における穴部の内面形状と、軸部の外面形状を変更することにより実施可能である。
外側部材は、実施例１で説明したように、内面中心部に穴部を備えている。そして、該穴部の内面は雌ネジ部として形成されている。
また、内側部材は、皿状部と該皿状部の中心に立設された軸部を備え、かつ該軸部は雄ネジ部として形成されている。
内側部材の軸部が外側部材の穴部の内面に螺合することにより、外側部材と内側部材との係合状態が保持される。実施例１とは係脱の具体的手段が違い、係脱の操作方法が異なるものの、実施例１のトップボタンと同様の効果を奏する。
【符号の説明】
【００１８】
１  帽子
１０  外側部材
１１  穴部
２０  外側部材
２１  皿状部
２２  軸部
２３  突条部
３０  インナー部材
３１  インナー部材本体部
３２  縁取りテープ部
【図１】
0003170882.tif 000003
【図２】
0003170882.tif 000004
【図３】
0003170882.tif 000005
【図４】
0003170882.tif 000006
【図５】
0003170882.tif 000007
【図６】
0003170882.tif 000008
【図７】
0003170882.tif 000009